(57)【特許請求の範囲】
【請求項１】
エレベータ用のロープの寿命を診断するエレベータ用ロープの寿命診断装置において、
ある一定期間内におけるエレベータの走行時間データから上記ロープの曲げ回数を推定して累積値を記憶する曲げ回数演算部と、この曲げ回数演算部での累積値と予め設定した判定値とを比較して上記ロープの寿命を判定する寿命判定部と、この寿命判定部の結果に基づいて点検を促す点検指示発報部と、上記曲げ回数演算部での累積値を算出する時期もしくは上記寿命判定部での寿命判定時期の少なくとも一方を設定する周期設定部とを備えて構成したことを特徴とするエレベータ用ロープの寿命診断装置。
【請求項２】
請求項１記載のエレベータ用ロープの寿命診断装置において、上記ロープは複数本からなり、これら各ロープの張力をそれぞれ測定する張力検出器と、この張力検出器により最も高い張力値を示したロープを選定するロープ選定部とを設け、このロープ選定部の選定結果を上記点検指示発報部に送るようにしたことを特徴とするエレベータ用ロープの寿命診断装置。
【請求項３】
請求項２記載のエレベータ用ロープの寿命診断装置において、上記曲げ回数演算部は、最も利用の多い階の情報を取り込み、それに対応した位置の上記ロープの曲げ回数を推定して累積値を記憶するようにしたことを特徴とするエレベータ用ロープの寿命診断装置。
【発明の詳細な説明】
【０００１】
【発明の属する技術分野】
本発明は、エレベータ用ロープの寿命を診断するエレベータ用ロープの寿命診断装置に関する。
【０００２】
【従来の技術】
従来のエレベータ用ロープの寿命診断は、エレベータを停止させた状態でロープを目視したり、もしくは磁気を使った探傷装置でロープの素線切れ部分を探し、その程度を目視確認して寿命の判定を行なっていた。
【０００３】
【発明が解決しようとする課題】
しかしながら、従来のエレベータ用ロープの寿命診断は、その診断作業をエレベータの停止状態で行なわなければならず顧客に長時間不便をかけたり、目視で点検を行なうために診断作業時間が長くなってしまう。また磁気探傷装置を用いた場合には装置が非常に高価であるため、経済的な負担が大きい。
【０００４】
本発明の目的は、エレベータを長時間停止させることなく、安価で的確な寿命診断を行なうことができるようにしたエレベータ用ロープの寿命診断装置を提供することにある。
【０００５】
【課題を解決するための手段】
本発明は上述の目的を達成するために、エレベータ用のロープの寿命を診断するエレベータ用ロープの寿命診断装置において、ある一定期間内におけるエレベータの走行時間データから上記ロープの曲げ回数を推定して累積値を記憶する曲げ回数演算部と、この曲げ回数演算部での累積値と予め設定した判定値とを比較して上記ロープの寿命を判定する寿命判定部と、この寿命判定部の結果に基づいて点検を促す点検指示発報部と、上記曲げ回数演算部での累積値を算出する時期もしくは上記寿命判定部での寿命判定時期の少なくとも一方を設定する周期設定部とを備えて構成したことを特徴とする。
【０００６】
本発明によるエレベータ用ロープの寿命診断装置は、エレベータ制御盤の制御用コンピュータなどから走行時間データを読み出し、曲げ回数演算部で走行時間データからロープの曲げ回数を推定して累積値を記憶し、その後、寿命判定部でこの累積値に基づいてロープの寿命を判定するようにしたため、従来のようにエレベータを長時間にわたって停止する必要はなく、判定作業も簡単に行なうことができるので、安価で的確な寿命診断を行なうことができる。
【０００７】
【発明の実施の形態】
以下、本発明の実施の形態を図面により説明する。
図１は、本発明の一実施の形態によるエレベータ用ロープの寿命診断装置を示すブロック構成図である。
乗りかご３に複数本のロープ５の一端を接続し、このロープ５の他端につり合いおもり４を連結してエレベータが構成され、このエレベータの制御を行なうエレベータ制御盤２の制御用コンピュータ２ａに寿命診断装置１が接続されている。この寿命診断装置１は、既に取り付けられているエレベータ遠隔監視用コンピュータを改造して構成しても良いし、別途新たに追加して構成しても良い。
【０００８】
いずれにせよ寿命診断装置１は、エレベータ毎の様々な情報を入力する個別情報入力部１ａと、曲げ回数推定周期および寿命判定処理の周期を設定するための周期設定部１ｃと、エレベータ制御盤２内のエレベータ制御用コンピュータから走行時間データをもらい、これを変数として予め記憶している演算式に基づき曲げ回数を推定する曲げ回数演算部１ｄと、曲げ回数から素線切れ数を推定するためのデータを記憶しておく寿命曲げ回数データベース１ｅと、曲げ回数演算部１ｄの推定結果と寿命曲げ回数データベース１ｅから読み込んだ寿命曲げ回数とを比較し、ロープ５が寿命に達しているか否かを判定する寿命判定部１ｆと、この寿命判定部１ｆが寿命であると判断した場合に点検の指示を発報する点検指示発報部１ｇとを備えて構成している。
【０００９】
次に、上述した寿命診断装置１によるロープ５の寿命診断の作業手順を説明する。
ロープは、曲げにより素線切れが進行して断面積が減少し、破断力が低下することで劣化していく。今回、ロープ５の曲げ回数と素線切れ数について調査を行なったところ、エレベータの場合、ロープ５の曲げ回数と素線切れ数は非常に明確な正の相関関係が成り立つことが判明した。また、ロープ５の曲げ回数とエレベータが使用される時間、すなわちエレベータの走行時間との間にも明確な正の相関関係が成り立ち、曲げ回数をｙ、走行時間をｘとするとｙ＝０．２ｘで近似できることが分かった。これらのことから、エレベータの走行時間をある一定期間計測すれば上述の関係から、ロープ５の曲げ回数が推定できる。従って、ロープ５の曲げ回数が推定可能であるからロープの劣化、すなわち寿命に達しているか否かの判定が可能となる。
【００１０】
この関係に基づいて、先ず、保守員が寿命診断装置１内の個別情報入力部１ａに図示を省略したコンピュータを接続し、このコンピュータで診断を行なうエレベータの個別情報、すなわちロープ本数、曲げ回数の推定周期、寿命診断周期などのデータを入力し、さらに日付や時刻の修正なども行ない、必要であれば寿命曲げ回数データベース１ｅ内のデータを訂正する。入力されたデータはそれぞれ周期設定部１ｃ、曲げ回数演算部１ｄへ転送する。
【００１１】
寿命診断装置１は、エレベータ制御盤２の制御用コンピュータ２ａから走行時間データを読み出しており、保守員が設定した曲げ回数の推定周期に基づいて周期設定部１ｃから発した計算実行命令を受けると、曲げ回数演算部１ｄは走行時間データからロープの曲げ回数を推定し、累積値を記憶する。
【００１２】
一方、寿命診断周期になると、周期設定部１ｃから寿命判定部１ｆに診断指令が送られ、これを受信した寿命判定部１ｆは、曲げ回数演算部１ｄに記憶している累積値を送信するよう要求する。この累積値が送られてきたなら寿命判定部１ｆは、寿命曲げ回数データベース１ｅから選択してきた許容曲げ回数値と突き合わせ、累積値が許容曲げ回数値を超えていたなら寿命と判定し、点検指示指令を点検指示発報部１ｇへ送信する。この点検指示指令を受けた点検指示発報部１ｇは、保守員に点検を促すため点検指示を発報するが、ネットワーク接続されたエレベータ監視用コンピュータの画面に表示したり、もしくは保守員が携帯している携帯用コンピュータを接続したときに画面に表示したり、あるいは点検指示発報部１ｇ自体に備えた表示装置に表示する。
【００１３】
このようにエレベータ制御盤２の制御用コンピュータ２ａから走行時間データを読み出し、曲げ回数演算部１ｄで走行時間データからロープの曲げ回数を推定して累積値を記憶し、その後、寿命判定部１ｆでこの累積値に基づいてロープ５の寿命を判定するようにしたため、従来のようにエレベータを長時間にわたって停止する必要はなく、判定作業も簡単に行なうことができるので、安価で的確な寿命診断を行なうことができる。しかも、周期設定部１ｃによってロープの寿命診断を適切な時期に実施できるため、点検によるエレベータの停止を最小限に抑えることが可能となり、顧客の使い勝手を大きく向上できる。
【００１４】
図２は、本発明の他の実施の形態によるエレベータ用ロープの寿命診断装置を示すブロック構成図である。
乗りかご３に複数本のロープ５の一端を接続し、このロープ５の他端につり合いおもり４を連結し、複数本のロープ５の張力を一本ずつ測定する張力検出器６を取り付けてエレベータが構成され、このエレベータの制御を行なうエレベータ制御盤２の制御用コンピュータ２ａに寿命診断装置１が接続されている。
【００１５】
寿命診断装置１は、エレベータ毎の様々な情報を入力する個別情報入力部１ａと、複数本のロープ５の張力を一本ずつ測定する張力検出器６からの張力データを比較してどのロープ５の張力が一番高いか選択するロープ選定部１ｂと、曲げ回数推定周期および寿命判定処理の周期を設定するための周期設定部１ｃと、エレベータ制御盤２内のエレベータ制御用コンピュータから走行時間データと最多利用階の回数データをもらい、これを変数として予め記憶している演算式に基づき曲げ回数を推定する曲げ回数演算部１ｄと、曲げ回数から素線切れ数を推定するためのデータを記憶しておく寿命曲げ回数データベース１ｅと、曲げ回数演算部１ｄの推定結果と寿命曲げ回数データベース１ｅから読み込んだ寿命曲げ回数とを比較し、ロープ５が寿命に達しているか否かを判定する寿命判定部１ｆと、この寿命判定部１ｆが寿命であると判断した場合に点検の指示を発報する点検指示発報部１ｇとを備えて構成している。
【００１６】
次に、上述した寿命診断装置１によるロープ５の寿命診断の作業手順を説明する。
先ず、保守員が寿命診断装置１内の個別情報入力部１ａに図示を省略したコンピュータを接続し、このコンピュータで診断を行なうエレベータの個別情報、すなわちロープ本数、曲げ回数の推定周期、寿命診断周期などのデータを入力する。さらに日付や時刻の修正なども行ない、必要であれば寿命曲げ回数データベース１ｅ内のデータを訂正する。入力されたデータはそれぞれロープ選定部１ｂ、周期設定部１ｃ、曲げ回数演算部１ｄへ転送する。
【００１７】
寿命診断装置１は、エレベータ制御盤２の制御用コンピュータ２ａから走行時間データを読み出しており、保守員が設定した曲げ回数の推定周期に基づいて周期設定部１ｃから発した計算実行命令を受けると、曲げ回数演算部１ｄは走行時間データからロープの曲げ回数を推定し、累積値を記憶する。
【００１８】
一方、寿命診断周期になると、周期設定部１ｃから寿命判定部１ｆに診断指令が送られ、これを受信した寿命判定部１ｆは、曲げ回数演算部１ｄに記憶している累積値を送信するよう要求し、この累積値が送られてきたなら寿命曲げ回数データベース１ｅから選択してきた許容曲げ回数値と突き合わせ、累積値が許容曲げ回数値を超えていたなら寿命と判定し、点検指示指令を点検指示発報部１ｇへ送る。この点検指示指令を受けた点検指示発報部１ｇは、保守員に点検を促すため点検指示を発報するが、ネットワーク接続されたエレベータ監視用コンピュータの画面に表示したり、もしくは保守員が携帯している携帯用コンピュータを接続したときに画面に表示したり、あるいは点検指示発報部１ｇ自体に備えた表示装置に表示する。
【００１９】
ここで、張力検出器６で検出した複数本のロープ５における各ロープ毎の張力データをロープ選定部１ｂに入力するようにしている。このロープ選定部１ｂは、入力された各ロープ毎の張力データのうち、最も高い張力値を示したロープを選定して、ロープ選定データとして点検指示発報部１ｇに送るようにしている。このロープ選定データを点検指示発報部１ｇに送ることにより最も高い張力値を示したロープを選定しているので、点検するロープ５が複数本あっても、どのロープ５を点検すれば良いか自動的に指定することができる。
【００２０】
さらに、この実施の形態では、エレベータ制御盤２の制御用コンピュータ２ａから曲げ回数演算部１ｄに、最も利用の多い階の情報を取り込むようにしている。最も利用の多い階が分かれば、それに対応してロープ５の傷みやすい位置が特定される。
【００２１】
従って、点検指示発報部１ｇは、保守員に点検を促すため点検指示を発報するとき、点検すべきロープ５と、そのロープ５の最も傷んでいると思われる位置の情報を得ることができ、これに基づいて点検を行なうことにより、エレベータの運転を停止して特定されたロープ５と、その特定の位置を点検したり、そのロープ５の程度から他のロープ５の点検の必要性も予測することができるので、非常に効率的な寿命判定を行なうことができる。
【００２２】
【発明の効果】
以上説明したように本発明によるエレベータ用ロープの寿命診断装置は、エレベータ制御盤の制御用コンピュータから走行時間データを読み出し、曲げ回数演算部で走行時間データからロープの曲げ回数を推定して累積値を記憶し、その後、寿命判定部でこの累積値に基づいてロープの寿命を判定するようにしたため、従来のようにエレベータを長時間にわたって停止する必要はなく、判定作業も簡単に安価で的確に行なうことができる。
【図面の簡単な説明】
【図１】本発明の一実施の形態によるエレベータ用ロープの寿命診断装置を示すブロック構成図である。
【図２】本発明の他の実施の形態によるエレベータ用ロープの寿命診断装置を示すブロック構成図である。
【符号の説明】
１  寿命診断装置
１ａ  個別情報入力部
１ｂ  ロープ選定部
１ｃ  周期設定部
１ｄ  曲げ回数演算部
１ｅ  寿命曲げ回数データベース
１ｆ  寿命判定部
１ｇ  点検指示発報部
【図１】
0003753563.tif 000002
【図２】
0003753563.tif 000003